(57)【要約】【課題】たこ焼きを大量に焼成するにあたって利便性を高め、操作者が適時に１つずつひっくり返す煩わしい作業が不要で、焼き上げられるたこ焼きがきれいな球形に焼き上げることができる自動回転たこ焼き器を提供する。【解決手段】本考案は、たこ焼きを焼成する機体においてその内部に取付けて設けられるモータの回転作動時に連動した軸心と連結する偏心振子を利用し、及び機体の所定高さに架設されている複数のスプリングの他端が焼きプレートの下端の相応部位に当接することで、焼きプレート上の各収容空間に流し込んだ小麦粉を溶いた液状の生地、及び入れた所定具材を回動中の偏心振子より、焼きプレートに対して同心駆動に形成し、及び底部に当着するスプリングより、焼きプレートに対して上下振動に形成することによって、焼きプレートの各収容空間でのたこ焼きが焼成過程において水平方向と縦方向の３６０度自動回転移動に駆動させるように構成される。【選択図】図１
0003180473.tif 000002
【実用新案登録請求の範囲】
【請求項１】
本体と、固定片と、モータと、偏心振子と、複数のスプリングと、焼きプレートとを備えるように構成され、
前記固定片の下端面の重心部位には、前記モータが取付けて設けられるとともに、前記偏心振子と連結するために前記モータの軸心が前記固定片の上端面から突出して延びるように設けられ、前記固定片の上端面は、前記焼きプレートから下向きの複数本の支持具と方向連結を行い、前記本体の内部の所定高さに中空支持枠が形成され、当該支持枠の上に前記複数のスプリングが平穏に嵌合されるための複数本の筒部分が間隔おきに設けられるとともに、各当該スプリングの他端が前記固定片の下端面の相応部位に当接し、及び方位規制を行い、
機体の上端側に架設されている前記焼きプレート上の各収容空間に流し込んだ小麦粉を溶いた液状の生地、及び入れた所定具材を回動中の前記偏心振子より、前記焼きプレートに対して同心駆動に形成し、及び前記固定片の底部に当着する前記複数のスプリングより、前記焼きプレートに対して上下振動に形成することによって、前記焼きプレートの各収容空間でのたこ焼きが焼成過程において水平方向と縦方向の３６０度自動回転移動に駆動させることにより、たこ焼きを大量に焼成するにあたって利便性を高め、操作者が適時に１つずつひっくり返す煩わしい作業が不要で、焼き上げられるたこ焼きがきれいな球形に焼き上げることを特徴とする、自動回転たこ焼き器。
【請求項２】
前記機体内の前記固定片の上端面に架設されている前記焼きプレートの底部には、電熱管と連結されるとともに、当該電熱管を前記焼きプレートの表面に凹設されている各収容空間に流し込んだ小麦粉を溶いた液状の生地、及び入れた関連の具材の加熱源として操作者が容易にオン・オフ切り替わるよう前記電熱管の電源制御部を前記機体の作用する一側に設けられることを特徴とする、請求項１に記載の自動回転たこ焼き器。
【請求項３】
前記機体内の前記固定片の上端面に架設されている前記焼きプレートの底部には、前記焼きプレートの底部に連結される前記電熱管が加熱時に生じる熱気を適度に下端部から隔離されるための遮熱板が間隔をあけて設けられることを特徴とする、請求項２に記載の自動回転たこ焼き器。
【請求項４】
前記機体内に取付けて設けられる前記モータを動力とし、及び頂端に前記焼きプレートが架設されている前記本体の下端側に底板が覆設されるとともに、前記底板の内面から上向きに延設される前記複数本の筒部分が前記本体内の前記中空支持枠と組み合せて相応部位の柱部分と方向嵌合を行うことを特徴とする、請求項１に記載の自動回転たこ焼き器。
【請求項５】
前記機体内に取付けて設けられる前記モータを動力とし、及び頂端に前記焼きプレートが架設されている前記本体の下端側に覆設される前記底板に位置する各当該筒部分の下端に滑止めパッドが係合していることを特徴とする、請求項４に記載の自動回転たこ焼き器。
【考案の詳細な説明】
【技術分野】
【０００１】
本考案は、自動回転たこ焼き器に係り、主に、たこ焼きを焼成する機体においてその内部に取付けて設けられるモータの回転作動時に連動した軸心と連結する偏心振子を利用し、及び機体の所定高さに架設されている複数のスプリングの他端が焼きプレートの下端の相応部位に当接することで、焼きプレート上の各収容空間に流し込んだ小麦粉を溶いた液状の生地、及び入れた所定具材を回動中の偏心振子より、焼きプレートに対して同心駆動に形成し、及び底部に当着するスプリングより、焼きプレートに対して上下振動に形成することによって、焼きプレートの各収容空間でのたこ焼きが焼成過程において水平方向と縦方向の３６０度自動回転移動に駆動させることにより、たこ焼きを大量に焼成するにあたって利便性を高め、操作者が適時に１つずつひっくり返す煩わしい作業が不要で、焼き上げられるたこ焼きがきれいな球形に焼き上げることができる、自動回転たこ焼き器に関する。
【背景技術】
【０００２】
従来から、伝統的な菓子（例えば今川焼、ベビーカステラ、たこ焼き等）の製作時に、通常、基本的なタイプの焼き炉の内部に架設されているガスバーナを加熱源として利用し、また、焼き炉の上端に所要型の焼きプレートが架設され、それにより、焼きプレート上の各収容空間に小麦粉を溶いて調製した液状の生地を流し込んだ後に、生地を適度に焼成し、適時に具材を入れ、さらに他面の焼きされた半成品（または未焼成の小麦粉を溶いた生地）を覆い被せ、所要の菓子外形状を成形して成品として焼き上げるまで焼き続ければ、千枚通しなど先端が尖った道具を用いて取り出す。
【０００３】
ここで、たこ焼きを製作する成形機体について改善を図り、たこ焼きを製作する既知の焼き炉は、円盤形状の焼成プレートを備え、そのプレートの下端には、加熱源としてのガスバーナが架設されているとともに、焼成プレートの作用する表面には、複数本の所定大きさの半球形の収容空間が凹設されている。それにより、小麦粉を溶いて調製した液状の生地を流し込む前には、まず、各収容空間に油ふきにより油を薄く一層塗布する。その後、小麦粉を溶いて調製した液状の生地を焼成プレート上の各収容空間に深さ３／４ぐらいまで流し込む。さらに、この生地を加熱しつつ、その上に所定具材を生地の上に投入した後、生地を各収容空間に充満まで流し込み、焼成プレートの下端のガスバーナの火により、収容空間に流し込んだ小麦粉を溶いた液状の生地、及び入れた具材を適度に焼成し、焼成過程において、小麦粉を溶いた液状の生地が膨らんで溢れ出るので、操作者にとって常に収容空間の周りから溢れた小麦粉を溶いた液状の生地を竹串で収容空間の中へと押し込んでいく必要があった。また、たこ焼きが焼成プレート上の収容空間から容易に剥離できる状態に焼成される時に、竹串でたこ焼きを裏返し、さらに焼き続けて、たこ焼きの形状が固まるまでに、竹串で何度もひっくり返していく必要があり、たこ焼きの具材が食べごろの焼き具合になったら、焼成プレート上の収容空間から焼き上げられるたこ焼きを取り出すことができる。
【考案の概要】
【考案が解決しようとする課題】
【０００４】
上述のようにたこ焼きを製作する場合には、たこ焼きを美味しく焼き上げることができるが、操作者は、手で持った竹串を用いて焼成過程中のたこ焼きを何度もひっくり返す必要があった。そのため、時間と手間がかかる上、焼き上げられるたこ焼きの外形状を完全球形に焼けるようになるには、操作者にとってかなりの熟練した技術が要求されていた。
【０００５】
本考案は、従来のたこ焼きの焼成の操作上に存在する不便について改善を図るものであり、たこ焼きを焼成する前記機体がその内部に取付けて設けられるモータの回転作動時に連動した軸心と連結する偏心振子を利用し、及び機体の所定高さに架設されている複数のスプリングの他端が焼きプレートの下端の相応部位に当接することで、焼きプレート上の各収容空間に流し込んだ小麦粉を溶いた液状の生地、及び入れた所定具材を回動中の偏心振子より、焼きプレートに対して同心駆動に形成し、及び底部に当着するスプリングより、焼きプレートに対して上下振動に形成することによって、焼きプレートの各収容空間でのたこ焼きが焼成過程において水平方向と縦方向の３６０度自動回転移動に駆動させることができる構成が望まれ、たこ焼きを大量に焼成するにあたって利便性を高め上で、操作者が適時に１つずつひっくり返す煩わしい作業が不要で、かつ焼き上げられるたこ焼きがきれいな球形に焼き上げることができる、自動回転たこ焼き器を提供しようとするものである。
【課題を解決するための手段】
【０００６】
本考案の主な目的は、本体と、固定片と、モータと、偏心振子と、複数のスプリングと、焼きプレートとを備えるように構成されるたこ焼きを焼成する機体において、前記固定片の下端面の重心部位には、モータが取付けて設けられるとともに、偏心振子と連結するためにモータの軸心が固定片の上端面から突出して延びるように設けられ、固定片の上端面は、焼きプレートから下向きの支持具と方向連結を行い、本体の内部の所定高さに中空支持枠が形成され、その支持枠の上にスプリングが平穏に嵌合されるための複数本の筒部分が間隔おきに設けられるとともに、各スプリングの他端が固定片の下端面の相応部位に当接し、及び方位規制を行い、それにより、機体の上端側に架設されている前記焼きプレート上の各収容空間に流し込んだ小麦粉を溶いた液状の生地、及び入れた所定具材を回動中の偏心振子より、焼きプレートに対して同心駆動に形成し、及び固定片の底部に当着するスプリングより、焼きプレートに対して上下振動に形成することによって、焼きプレートの各収容空間でのたこ焼きが焼成過程において水平方向と縦方向の３６０度自動回転移動に駆動させることにより、たこ焼きを大量に焼成するにあたって利便性を高め、操作者が適時に１つずつひっくり返す煩わしい作業が不要で、焼き上げられるたこ焼きがきれいな球形に焼き上げることができる、自動回転たこ焼き器を提供する。
【０００７】
本考案の第２の目的は、機体内の固定片の上端面に架設されている焼きプレートの底部には、電熱管と連結されるとともに、電熱管を焼きプレートの表面に凹設されている各収容空間に流し込んだ小麦粉を溶いた液状の生地、及び入れた関連の具材の加熱源として操作者が容易にオン・オフ切り替わるよう電熱管の電源制御部を機体の作用する一側に設けられる、自動回転たこ焼き器を提供する。
【０００８】
本考案の第３の目的は、機体内の固定片の上端面に架設されている焼きプレートの底部には、焼きプレートの底部に連結される前記電熱管が加熱時に生じる熱気を適度に下端部から隔離されるための遮熱板が間隔をあけて設けられる、自動回転たこ焼き器を提供する。
【０００９】
本考案の第４の目的は、機体内に取付けて設けられるモータを動力とし、及び頂端に焼きプレートが架設されている本体の下端側に底板が覆設されるとともに、その底板の内面から上向きに延設される複数本の筒部分が本体内の中空支持枠と組み合せて相応部位の柱部分と方向嵌合を行うように構成される、自動回転たこ焼き器を提供する。
【００１０】
本考案の第５の目的は、機体内に取付けて設けられるモータを動力とし、及び頂端に焼きプレートが架設されている本体の下端側に覆設される前記底板に位置する各筒部分の下端に滑止めパッドが係合しているように構成される、自動回転たこ焼き器を提供する。
【考案の効果】
【００１１】
以上説明したように、本考案の自動回転たこ焼き器によれば、たこ焼きを大量に焼成するにあたって利便性を高め、操作者が適時に１つずつひっくり返す煩わしい作業が不要で、焼き上げられるたこ焼きがきれいな球形に焼き上げることができる。
【図面の簡単な説明】
【００１２】
【図１】本考案のたこ焼き器の部品分解図である。
【図２】本考案のたこ焼き器の外観図である。
【図３】本考案のたこ焼き器の内部部品の位置を示す模式図である。
【図４】本考案のたこ焼き器の正面断面図である。
【考案を実施するための形態】
【００１３】
本考案の設計された自動回転たこ焼き器（図１参照）は、たこ焼きを焼成する機体（７）において、本体（１）と、固定片（２）と、モータ（３）と、偏心振子（３２）と、複数のスプリング（４）と、焼きプレート（５）と、遮熱板（６）と、底板（１４）と、複数の滑止めパッド（１５）とを備えるように構成される。
【００１４】
その内、本体（１）は、所定大きさ及び高さの中空桶形の構成部材であり、前記本体（１）の内部の所定高さに中空支持枠（１１）が形成され（図１、図４参照）、その支持枠（１１）の上に複数本の筒部分（１２）が間隔おきに設けられている。
【００１５】
固定片（２）は、本体（１）の内部の大きさに応じて、モータを取付けて設けられるための位置決め構成部材を決定する。
【００１６】
焼きプレート（５）は、本体（１）の外部の大きさに応じて、それよりも略大きい体積の焼きプレート構成を決定し、前記焼きプレート（５）の表面に複数の半球形の収容空間（５１）が凹設されており、また、焼きプレート（５）の底部の周辺から下向きに複数本の支持具（５２）が延設されている（図１、図４参照）。また、焼きプレート（５）の底部には、電熱管（図示しない）と連結されるとともに、操作者が容易にオン・オフ切り替わるよう電熱管の電源制御部（５３）を機体（７）の作用する一側に設けられる。
【００１７】
遮熱板（６）は、焼きプレート（５）の底部の形態に応じて、遮熱構成部材を決定する。
【００１８】
底板（１４）は、本体（１）の下端周縁に応じて、相応する遮覆構成部材を決定し、前記底板（１４）の内面から上向きに複数本の筒部分（１４１）が延設されており、また、底板（１４）に位置する各筒部分（１４１）の下端に滑止めパッド（１５）が係合しているように構成される。
【００１９】
上述の本体（１）と、固定片（２）と、焼きプレート（５）と、遮熱板（６）と、底板（１４）とを組み立てるように実施するにあたり（図１、図４参照）、ステップ１では、固定片（２）の下端面の重心部位に、モータ（３）を取付けて設けるとともに、モータ（３）の軸心（３１）を固定片（２）の上端面から突出して延びるように設けることにより、偏心振子（３２）と連結できるようにする（図３参照）。次に、ステップ２では、遮熱板（６）を対応的に間隔をあけて焼きプレート（５）の底部に近接して設けるとともに、螺着部材（６１）より、遮熱板（６）が焼きプレート（５）と方向係合を行うことによって、焼きプレート（５）の底部に連結される前記電熱管が加熱時に生じる熱気を適度に下端部から隔離されるようにする。続いて、ステップ３では、固定片（２）の上端面は、焼きプレート（５）から下向きに延設される複数本の支持具（５２）に合わせて方向当接を行い、また、螺着部材（２１）より、固定片（２）が焼きプレート（５）の各支持具（５２）と方向係合を行う。そして、ステップ４では、本体（１）の内部の所定高さに形成される中空支持枠（１１）の上に、各筒部分（１２）を突出して延びるように設け、スプリング（４）を平穏に嵌合するに合わせて各スプリング（４）の他端が固定片（２）の下端面の相応部位に当接し、及び方位規制を行う。最後に、ステップ５では、本体（１）の下端側に底板（１４）を覆設するとともに、底板（１４）の内面から上向きに延設される各筒部分（１４１）が本体（１）内の中空支持枠（１１）と組み合せて相応部位の柱部分（１３）と方向嵌合を行うことによって、たこ焼き（８）を焼成する機体（７）が組み立てられる。
【００２０】
組み立てられる前記機体（７）でたこ焼き（８）を焼成するように実施するにあたり（図２、図４参照）、機体（７）の上端側に架設されている焼きプレート（５）上の各収容空間（５１）に小麦粉を溶いた液状の生地を流し込み、及び所定具材を入れ、固定片（２）の底部に取付けて設けられる前記モータ（３）の回転作動過程において、同時に偏心振子（３２）が回動中に形成される遠心力から回転運動エネルギーを生成するように駆動させ、回動中の前記偏心振子（３２）より、焼きプレート（５）に対して同心駆動に形成し、また、固定片（２）の底部に当着するスプリング（４）は上述した同心駆動により、焼きプレート（５）に対して上下振動に形成することによって、焼きプレート（５）の各収容空間（５１）内に入れたたこ焼き（８）が焼成過程において水平方向と縦方向の３６０度自動回転移動できる効果が得られる（即ち、焼きプレート（５）内のたこ焼き（８）が３次元空間の７２０度回転移動することができる）。それにより、たこ焼き（８）を大量に焼成するにあたって利便性を高め、操作者が常に１つずつひっくり返す煩わしい作業が不要で、その上、焼き上げられるたこ焼き（８）がきれいな球形に焼き上げることができる。
【００２１】
機体（７）内のモータ（３）の回転作動過程において、本体（１）内に架設されている中空支持枠（１１）と固定片（２）との間のスプリング（４）が持つ弾性を利用し、焼きプレート（５）に対して振動を生じ、本体（１）と適切な緩衝区間を介して隔離されることで、機体（７）内に架設されている焼きプレート（５）が３次元振動しても、本体（１）を平穏状態のままに維持することができる。
【００２２】
機体（７）の上端側に架設されている焼きプレート（５）上の各収容空間（５１）に流し込んだ小麦粉を溶いた液状の生地、及び入れた関連の具材の加熱源としては、底部に連結される電熱管で実施されている。また、その電熱管を制御するためのオン・オフスイッチは、例えば機体（７）の作用する一側に設けられている電源制御部（５３）により、直接に手で切り替えることができる。
【符号の説明】
【００２３】
１        本体
１１        支持枠
１２，１４１        筒部分
１３        柱部分
１４        底板
１５        滑止めパッド
２        固定片
２１，６１        螺着部材
３        モータ
３１        軸心
３２        偏心振子
４        スプリング
５        焼きプレート
５１        収容空間
５２        支持具
５３        電源制御部
６        遮熱板
７        機体
８        たこ焼き
【図１】
0003180473.tif 000003
【図２】
0003180473.tif 000004
【図３】
0003180473.tif 000005
【図４】
0003180473.tif 000006